(57)【特許請求の範囲】
【請求項１】
多数の硬貨を収容する保留タンクと、
該保留タンクに保留されていた硬貨が導入される硬貨導入口が複数設けられ、導入された硬貨を回転しながら外周側に押し出す円盤状の払出しロータと、該払出しロータの下側に配設され、前記硬貨導入口に導入された硬貨を上面で受けるプラスチック製のベースと、前記払出しロータから押し出された硬貨を払出し口の方向へ案内する金属製の案内部材と、前記払出し口から排出される硬貨を検出するカウントセンサとを有する払出し部と、
前記保留タンク及び払出し部を支持する金属性の基台とを具えた硬貨払出し装置であって、
前記案内部材を電気的に接地させたことを特徴とする硬貨払出し装置。
【請求項２】
前記案内部材を固定するための金属製ネジを前記基台にネジ込むようにしたことを特徴とする請求項１記載の硬貨払出し装置。
【請求項３】
前記案内部材を前記カウントセンサと対向する位置まで延在させたことを特徴とする請求項１又は２記載の硬貨払出し装置。
【発明の詳細な説明】
【０００１】
【発明の属する技術分野】
本発明は、スロットマシン等、硬貨を遊技媒体とする遊技機や、両替機，自動販売機等において硬貨を計数しながら払い出すための硬貨払出し装置に関するものである。
【０００２】
【従来の技術】
硬貨払出し装置は、図２に示すように、硬貨を貯めておく保留タンクＡと、保留タンクＡの中の硬貨を１枚ずつ同一面に揃えて枚数をカウントしながら払い出す払出し部Ｂと、それらを支持する基台Ｃとからなっている。以前の硬貨払出し装置では、保留タンクＡはプラスチック製で、払出し部Ｂ及び基台Ｃは、金属製になっていたが、最近、加工コストの低減化と軽量化のため、払出し部Ｂをプラスチックで形成するようになってきた。
【０００３】
図３は、従来の硬貨払出し装置の払出し部を示す図である。図３において、１はベース、２は払出しロータ、３は硬貨導入口、４は傾斜部、５は硬貨ガイド、６は可動ローラ、７は開口部、８は案内部材、９は案内部材８をベース１に固定するための止めネジ、１０は払出し口、１１はカウントセンサである。
【０００４】
磨耗防止等のため可動ローラ６と案内部材８，止めネジ９は金属製であるが、ベース１，払出しロータ２等のその他の部分は、プラスチック製としている。払出しロータ２は、図示しないモータにより矢印方向に回転しながら、前述の保留タンクＡに保留されている硬貨を硬貨導入口３の中に順次受け入れる。その際、硬貨導入口３の片側に傾斜部４が形成されていて、硬貨が硬貨導入口３内に水平な状態で導入され易くしている。
【０００５】
払出しロータ２の下面には、硬貨導入口３に入った硬貨を払出しロータ２の回転軸から離れる方向に押し出すガイド爪（図示せず）が設けられていて、硬貨は、ベース１の上を滑って回転しながら硬貨ガイド５に沿って移動していく。そして、案内部材８の位置に達すると、払出し口１０の方向にガイドされ、バネにより付勢されている可動ローラ６を開口部７の方向に押し込んで、可動ローラ６を通り抜けると、上記バネの力で払出し口１０の方向に勢いよく排出される。その際、カウントセンサ１１により、排出された硬貨の数がカウントされ、払出し数に達したら払出しロータ２の回転を停止させて、硬貨の払出しを停止させる。
【０００６】
ところで、そのような硬貨払出し装置では、前記保留タンクＡと払出し部Ｂがほとんど全てプラスチックで形成されているため、それらの中でかき回される硬貨と保留タンクＡ，払出し部Ｂとの摩擦で発生した静電気の逃げ道が無くなり、静電気が内部に蓄積されてしまう。その結果、硬貨がカウントセンサ１１を通過する際に、硬貨とカウントセンサ１１との間にスパークが発生し、カウントセンサ１１を誤動作させてそのカウント値に誤差を発生させてしまうことになる。
【０００７】
そこで、従来の硬貨払出し装置では、ベース１の、払出しロータ２の硬貨導入口３の軌道下に当たる部分に、適当な間隔で透孔１２を形成し、そこに接触子１３を配置し、各接触子１３を基台Ｃを介して接地するようにしている。その結果、硬貨導入口３に入った硬貨が接触子１３に接触し、摩擦により発生した静電気は外部に逃され、上記したような、スパークの発生は防止される。
【０００８】
【発明が解決しようとする課題】
しかしながら、このような硬貨払出し装置では、硬貨導入口３に硬貨が入る際に、常に平行な状態で入るとは限らず、複数枚の硬貨が立った状態で硬貨導入口３に入り込み、保留タンクＡに残っている多数の硬貨の圧力も受けて、そのまま縦方向になってしまうことも起こりうる。そのような状態になると、硬貨が接触子１３に接触できず、静電気を逃がすことができなくなる。また、払出しロータ２内にある間に静電気がなくなっても、案内部材８と可動ローラ６との間を通り抜けた後にも摩擦により静電気が発生し、それがスパークの原因にもなる。そのように、上記従来の硬貨払出し装置には、静電気の除去効果が十分に得られないという問題点があった。
【０００９】
本発明は、そのような問題点を解決し、簡単な構造により静電気を確実に除去し、スパークの発生を確実に防止できるようにすることを目的とするものである。
【００１０】
【課題を解決するための手段】
前記課題を解決するため、請求項１に記載の硬貨払出し装置は、多数の硬貨を収容する保留タンクと、該保留タンクに保留されていた硬貨が導入される硬貨導入口が複数設けられ、導入された硬貨を回転しながら外周側に押し出す円盤状の払出しロータと、該払出しロータの下側に配設され、前記硬貨導入口に導入された硬貨を上面で受けるプラスチック製のベースと、前記払出しロータから押し出された硬貨を払出し口の方向へ案内する金属製の案内部材と、前記払出し口から排出される硬貨を検出するカウントセンサとを有する払出し部と、前記保留タンク及び払出し部を支持する金属性の基台とを具えた硬貨払出し装置であって、前記案内部材を電気的に接地させたことを特徴とする。このようにすると、静電気を確実に除去し、スパークの発生を確実に防止することができる。
【００１１】
そして、請求項２に記載の硬貨払出し装置は、前記案内部材を固定するための金属製ネジを前記基台にネジ込むようにしたことを特徴とする。このようにすると、簡単な構造で案内部材を確実に接地させることができる。
【００１２】
また、請求項３に記載の硬貨払出し装置は、前記案内部材を前記カウントセンサと対向する位置まで延在させたことを特徴とする。このようにすると、払出しロータから押し出された後に発生した静電気も確実に除去できる。
【００１３】
【発明の実施の形態】
以下、本発明の実施の形態を図面に基づいて詳細に説明する。
図１は、硬貨払出し装置の払出し部を示す図である。符号は、図３のものに対応しており、ＣO は硬貨である。
【００１４】
図３に示した従来の硬貨払出し装置と同様に、可動ローラ６と案内部材８，止めネジ９は金属製であるが、ベース１，払出しロータ２等のその他の部分は、プラスチック製にして加工性を良くし、かつ、軽量化を図っている。そして、案内部材８は、図２に示すように、金属製の止めネジ９によりベース１に固定するが、その止めネジ９は、ベース１を貫通して金属製の基台Ｃの上部を折曲して形成したベース受部にネジ込むようにしている。そのように止めネジ９を受けられるようにするため、基台Ｃのベース受部は、基台Ｃを形成する金属板の上部をベース１の下面と平行に折曲させ、かつ、案内部材８の止めネジ９用のネジ孔の位置までそれを延長させている。
【００１５】
そのように、止めネジ９を基台Ｃのベース受部にネジ込むようにした結果、案内部材８は、止めネジ９を介して基台Ｃと電気的に接続される。そして、基台Ｃは、それが取り付けられている遊技機等のケーシングを介して電気的に接地されているため、案内部材８は、電気的に接地された状態になる。
【００１６】
そのような硬貨払出し装置において、払出しロータ２は、図示しないモータにより矢印方向に回転しながら、前述の保留タンクＡに保留されている硬貨を硬貨導入口３の中に順次受け入れ、払出しロータ２の下面に設けられているガイド爪（図示せず）により、硬貨導入口３に入った硬貨を回転させながら外周側に押し出し、硬貨ガイド５に沿ってベース１の上面を移動させていく。それらの硬貨は、案内部材８の位置に達すると、払出し口１０の方向にガイドされ、バネ（図示せず）により硬貨側に付勢されている可動ローラ６を開口部７の方向に押し込む。そして、硬貨が可動ローラ６を通り抜けると、上記バネの力で払出し口１０の方向に勢いよく排出される。その際、カウントセンサ１１により、排出された硬貨の数がカウントされる。
【００１７】
そのように、硬貨は、案内部材８に押し付けられながら、払出し口１０の方向にガイドされる。したがって、払出し口１０から排出される硬貨は、必ず案内部材８と接触してからカウントセンサ１１を通って排出されることになる。その結果、保留タンクＡや払出し部Ｂと硬貨が擦れ合って、静電気が発生しても、案内部材８，止めネジ９及び基台Ｃを通して静電気は除去される。また、保留タンクＡや払出し部Ｂの内部にあるその他の硬貨についても、それらが互いに接触し、案内部材８に接触した硬貨とも電気的に接続された関係になるため、発生した静電気は全て除去される。
【００１８】
さらに、案内部材８を、カウントセンサ１１と対向する位置まで延在するような形状とすることにより、払出しロータから押し出された後に、硬貨がベース１と擦れあって発生した静電気も確実に除去することができる。その結果、硬貨に帯電した静電気は完全に除去され、硬貨がカウントセンサ１１を通過する際に、硬貨とカウントセンサ１１との間にスパークが発生するようなことを確実に防止することができる。
【００１９】
【発明の効果】
本発明は、以上説明したように構成されているので、次に記載するような効果を奏する。
すなわち、請求項１に記載の硬貨払出し装置は、払出し部から排出される硬貨が確実に接触する案内部材を金属製とし、かつそれを接地させたので、排出される硬貨から静電気を確実に除去し、スパークの発生を確実に防止することができる。
【００２０】
そして、請求項２に記載の硬貨払出し装置は、案内部材を固定するための金属製ネジを金属製の基台にネジ込むようにしたので、簡単な構造で案内部材を確実に接地させることができる。
【００２１】
また、請求項３に記載の硬貨払出し装置は、案内部材をカウントセンサと対向する位置まで延在させたので、払出しロータから押し出された後に発生した静電気も確実に除去することができる。
【図面の簡単な説明】
【図１】硬貨払出し装置の払出し部を示す図である。
【図２】硬貨払出し装置の側面図である。
【図３】従来の硬貨払出し装置の払出し部を示す図である。
【符号の説明】
１…ベース
２…払出しロータ
３…硬貨導入口
５…硬貨ガイド
６…可動ローラ
８…案内部材
９…止めネジ
１０…払出し口
１１…カウントセンサ
Ａ…保留タンク
Ｂ…払出し部
Ｃ…基台
【図１】
0003738159.tif 000002
【図２】
0003738159.tif 000003
【図３】
0003738159.tif 000004